(57)【特許請求の範囲】
【請求項１】
少なくともＩＳＤＮ回線に接続され、当該ＩＳＤＮ回線を使用した通信を行うＩＳＤＮ端末において、レイヤ１の活性化／非活性化を検出するレイヤ１検出手段と、Ｄチャネル上でのフレーム受信を検出するＤチャネル検出手段と、前記Ｄチャネル検出手段がＤチャネル上でのフレームを受信しない状態が所定の規定時間以上継続した状態で、前記レイヤ１検出手段がレイヤ１が非活性化である旨を検出すると、前記レイヤ１検出手段以外の前記ＩＳＤＮ端末の各部の消費電力を節減する第１の省エネモードに設定し、前記レイヤ１検出手段がレイヤ１が活性化である旨を検出すると、前記レイヤ１検出手段及び前記Ｄチャネル検出手段以外の前記ＩＳＤＮ端末の各部の消費電力を節減する第２の省エネモードに設定する制御手段と、を備えたことを特徴とするＩＳＤＮ端末。
【請求項２】
前記ＩＳＤＮ端末は、前記ＩＳＤＮ回線への接続形態を設定する接続形態設定手段をさらに備え、前記制御手段は、前記接続形態設定手段でＩＳＤＮ回線への接続形態が常時接続に設定されており、前記Ｄチャネル検出手段がＤチャネル上でのフレームを受信しない状態が所定の規定時間以上継続すると、前記レイヤ１検出手段及び前記Ｄチャネル検出手段以外の前記ＩＳＤＮ端末の各部の消費電力を節減する第２の省エネモードに設定することを特徴とする請求項１記載のＩＳＤＮ端末。
【請求項３】
前記ＩＳＤＮ端末は、前記ＩＳＤＮ回線への接続形態を設定する接続形態設定手段と、Ｂチャネル上でのフレーム受信を検出するＢチャネル検出手段と、をさらに備え、前記制御手段は、前記接続形態設定手段でＩＳＤＮ回線への接続形態が専用線接続に設定されており、前記Ｂチャネル検出手段がＢチャネル上でのフレームを受信しない状態が所定の規定時間以上継続すると、前記レイヤ１検出手段、前記Ｄチャネル検出手段及び前記Ｂチャネル検出手段以外の前記ＩＳＤＮ端末の各部の消費電力を節減する第３の省エネモードに設定することを特徴とする請求項１記載のＩＳＤＮ端末。
【請求項４】
前記ＩＳＤＮ端末は、前記ＩＳＤＮ回線への接続形態を設定する接続形態設定手段と、Ｂチャネル上でのフレーム受信を検出するＢチャネル検出手段と、をさらに備え、前記制御手段は、前記接続形態設定手段でＩＳＤＮ回線への接続形態が専用線接続に設定されており、前記Ｂチャネル検出手段がＢチャネル上でのフレームを受信しない状態が所定の規定時間以上継続すると、前記レイヤ１検出手段、前記Ｄチャネル検出手段及び前記Ｂチャネル検出手段以外の前記ＩＳＤＮ端末の各部の消費電力を節減する第３の省エネモードに設定し、前記接続形態設定手段でＩＳＤＮ回線への接続形態が常時接続に設定されており、前記Ｄチャネル検出手段がＤチャネル上でのフレームを受信しない状態が所定の規定時間以上経過すると、前記レイヤ１検出手段及び前記Ｄチャネル検出手段以外の前記ＩＳＤＮ端末の各部の消費電力を節減する第２の省エネモードに設定することを特徴とする請求項１記載のＩＳＤＮ端末。
【請求項５】
前記制御手段は、前記第１の省エネモード状態時に、前記レイヤ１検出手段がレイヤ１の活性化を検出すると、前記第１の省エネモードを解除することを特徴とする請求項１から請求項４のいずれかに記載のＩＳＤＮ端末。
【請求項６】
前記制御手段は、前記第２の省エネモード状態時に、前記Ｄチャネル検出手段がＤチャネル上でのフレームの受信を検出すると、前記第２の省エネモードを解除することを特徴とする請求項１から請求項４のいずれかに記載のＩＳＤＮ端末。
【請求項７】
前記制御手段は、前記第３の省エネモード状態時に、前記Ｂチャネル検出手段がＢチャネル上でのフレームの受信を検出すると、前記第３の省エネモードを解除することを特徴とする請求項３から請求項６のいずれかに記載のＩＳＤＮ端末。
【発明の詳細な説明】
【０００１】
【発明の属する技術分野】
本発明は、ＩＳＤＮ端末に関し、詳細には、適切かつ効率的に省エネを行うＩＳＤＮ端末に関する。
【０００２】
【従来の技術】
近時、省エネ（省エネルギー）化が要望されており、ファクシミリ装置においても、受信待機中等に、記録部の加熱部等の高電力を消費する部分の電源をオフにして、消費電力を削減するファクシミリ装置が出現している。
【０００３】
このような省エネを行う従来のファクシミリ装置においては、省エネモードに入ると、オペレータが操作部で省エネモード解除操作を行うことにより、省エネモードを解除して、各部の電源をオンにする。
【０００４】
また、従来、電話回線からの呼出信号を検出すると、省エネモードを解除して、各部の電源をオンにするファクシミリ装置が提案されている（特開平９−９５４６３号公報参照）。
【０００５】
近時、ファクシミリ機能、コピー機能、スキャナ機能を備えるとともに、外部機器に接続されて当該外部機器の記録装置やスキャナ装置等としても機能する複合装置においても、受信待機中やコピー待機中等の各種待機状態において、記録部の加熱部等の高電力を消費する部分への供給電力を削減して、消費電力を削減する複合装置が出現している。
【０００６】
このような省エネを行う従来の複合装置としては、例えば、本出願人が先に出願したＩＳＤＮ端末システム（特開平９−１４９０９５号公報参照）がある。
【０００７】
このＩＳＤＮ端末システムは、少なくとも主制御部とレイヤ１監視部とを有するＩＳＤＮ基本インターフェイスに接続されるＩＳＤＮ端末システムであって、レイヤ１監視部には常時電源を供給して、低消費電力モードにおいてもＳ／Ｔ点のアクティベーションを検出可能に構成しておき、レイヤ１監視部がＳ／Ｔ点のアクティベーションを検出した場合には、これを主制御部に通知する手段を設けている。また、上記各手段に加えて、レイヤ２、レイヤ３の解析機能を有する着信監視部を有し、ＳＥＴＵＰメッセージを受信した場合には、前記着信監視部によりこれを解析して応答可否を判断し、応答可能と判断した場合にその旨を主制御部に通知する手段を設けている。
【０００８】
したがって、このＩＳＤＮ端末システムによれば、非動作時における低消費電力モードから通常モードに円滑に復帰させることができる。
【０００９】
【発明が解決しようとする課題】
しかしながら、このような従来の消費電力の低減を行うＩＳＤＮ端末にあっては、レイヤ１の非活性化を検出して省エネモードに設定するようになっていたため、常時起動契約をしている場合や常時起動端末が同一のバスに接続されている場合には、省エネモードに移行することができず、汎用性を向上させる上で、また、充分な省エネを行う上で、改良の必要があった。
【００１０】
そこで、請求項１記載の発明は、Ｄチャネル上でのフレーム受信を検出するＤチャネル検出手段がＤチャネル上でのフレームを受信しない状態が所定の規定時間以上継続し、レイヤ１の活性化／非活性化を検出するレイヤ１検出手段がレイヤ１が非活性化である旨を検出すると、レイヤ１検出手段以外のＩＳＤＮ端末の各部の消費電力を節減する第１の省エネモードに設定し、レイヤ１検出手段がレイヤ１が活性化である旨を検出すると、レイヤ１検出手段及びＤチャネル検出手段以外のＩＳＤＮ端末の各部の消費電力を節減する第２の省エネモードに設定することにより、常時起動契約の場合や常時起動契約の他のＩＳＤＮ端末が同一のバスに接続されている場合にも、適切に省エネモードに移行し、適切な省エネを行う汎用性を有するＩＳＤＮ端末を提供することを目的としている。
【００１１】
請求項２記載の発明は、ＩＳＤＮ回線への接続形態が常時接続に設定されている状態で、Ｄチャネル検出手段がＤチャネル上でのフレームを受信しない状態が所定の規定時間以上継続すると、レイヤ１検出手段及びＤチャネル検出手段以外のＩＳＤＮ端末の各部の消費電力を節減する第２の省エネモードに設定することにより、常時接続されている場合に、速やかに省エネモードに移行し、省エネ効果を向上させることのできる汎用性を有するＩＳＤＮ端末を提供することを目的としている。
【００１２】
請求項３記載の発明は、ＩＳＤＮ回線への接続形態が専用線接続に設定されている状態で、Ｂチャネル上でのフレーム受信を検出するＢチャネル検出手段がＢチャネル上でのフレームを受信しない状態が所定の規定時間以上継続すると、レイヤ１検出手段、Ｄチャネル検出手段及びＢチャネル検出手段以外のＩＳＤＮ端末の各部の消費電力を節減する第３の省エネモードに設定することにより、専用線に接続されている場合にも、適切に省エネモードに移行し、適切な省エネを行う汎用性を有するＩＳＤＮ端末を提供することを目的としている。
【００１３】
請求項４記載の発明は、ＩＳＤＮ回線への接続形態が専用線接続に設定されている状態で、Ｂチャネル上でのフレーム受信を検出するＢチャネル検出手段がＢチャネル上でのフレームを受信しない状態が所定の規定時間以上継続すると、レイヤ１検出手段、Ｄチャネル検出手段及びＢチャネル検出手段以外のＩＳＤＮ端末の各部の消費電力を節減する第３の省エネモードに設定し、ＩＳＤＮ回線への接続形態が常時接続に設定されている状態で、Ｄチャネル検出手段がＤチャネル上でのフレームを受信しない状態が所定の規定時間以上経過すると、レイヤ１検出手段及びＤチャネル検出手段以外のＩＳＤＮ端末の各部の消費電力を節減する第２の省エネモードに設定することにより、専用線に接続されている場合にも、適切に省エネモードに移行するとともに、常時接続の場合に、速やかに省エネモードに移行し、適切な省エネを行うとともに、省エネ効果を向上させることのできる汎用性を有するＩＳＤＮ端末を提供することを目的としている。
【００１４】
請求項５記載の発明は、第１の省エネモード状態時に、レイヤ１検出手段がレイヤ１の活性化を検出すると、第１の省エネモードを解除することにより、レイヤ１検出手段以外のＩＳＤＮ端末の各部の消費電力を節減する第１の省エネモードから適切に復帰し、適切な動作を確保することのできるＩＳＤＮ端末を提供することを目的としている。
【００１５】
請求項６記載の発明は、第２の省エネモード状態時に、Ｄチャネル検出手段がＤチャネル上でのフレームの受信を検出すると、第２の省エネモードを解除することにより、レイヤ１検出手段及びＤチャネル検出手段以外のＩＳＤＮ端末の各部の消費電力を節減する第２の省エネモードから適切に復帰し、適切な動作を確保することのできるＩＳＤＮ端末を提供することを目的としている。
【００１６】
請求項７記載の発明は、第３の省エネモード状態時に、Ｂチャネル検出手段がＢチャネル上でのフレームの受信を検出すると、第３の省エネモードを解除することにより、レイヤ１検出手段、Ｄチャネル検出手段及びＢチャネル検出手段以外のＩＳＤＮ端末の各部の消費電力を節減する第３の省エネモードから適切に復帰し、適切な動作を確保することのできるＩＳＤＮ端末を提供することを目的としている。
【００１７】
【課題を解決するための手段】
請求項１記載の発明のＩＳＤＮ端末は、少なくともＩＳＤＮ回線に接続され、当該ＩＳＤＮ回線を使用した通信を行うＩＳＤＮ端末において、レイヤ１の活性化／非活性化を検出するレイヤ１検出手段と、Ｄチャネル上でのフレーム受信を検出するＤチャネル検出手段と、前記Ｄチャネル検出手段がＤチャネル上でのフレームを受信しない状態が所定の規定時間以上継続した状態で、前記レイヤ１検出手段がレイヤ１が非活性化である旨を検出すると、前記レイヤ１検出手段以外の前記ＩＳＤＮ端末の各部の消費電力を節減する第１の省エネモードに設定し、前記レイヤ１検出手段がレイヤ１が活性化である旨を検出すると、前記レイヤ１検出手段及び前記Ｄチャネル検出手段以外の前記ＩＳＤＮ端末の各部の消費電力を節減する第２の省エネモードに設定する制御手段と、を備えることにより、上記目的を達成している。
【００１８】
上記構成によれば、Ｄチャネル上でのフレーム受信を検出するＤチャネル検出手段がＤチャネル上でのフレームを受信しない状態が所定の規定時間以上継続し、レイヤ１の活性化／非活性化を検出するレイヤ１検出手段がレイヤ１が非活性化である旨を検出すると、レイヤ１検出手段以外のＩＳＤＮ端末の各部の消費電力を節減する第１の省エネモードに設定し、レイヤ１検出手段がレイヤ１が活性化である旨を検出すると、レイヤ１検出手段及びＤチャネル検出手段以外のＩＳＤＮ端末の各部の消費電力を節減する第２の省エネモードに設定するので、常時起動契約の場合や常時起動契約の他のＩＳＤＮ端末が同一のバスに接続されている場合にも、適切に省エネモードに移行することができ、適切な省エネを行うことができるとともに、汎用性を確保することができる。
【００１９】
この場合、例えば、請求項２に記載するように、前記ＩＳＤＮ端末は、前記ＩＳＤＮ回線への接続形態を設定する接続形態設定手段をさらに備え、前記制御手段は、前記接続形態設定手段でＩＳＤＮ回線への接続形態が常時接続に設定されており、前記Ｄチャネル検出手段がＤチャネル上でのフレームを受信しない状態が所定の規定時間以上継続すると、前記レイヤ１検出手段及び前記Ｄチャネル検出手段以外の前記ＩＳＤＮ端末の各部の消費電力を節減する第２の省エネモードに設定するものであってもよい。
【００２０】
上記構成によれば、ＩＳＤＮ回線への接続形態が常時接続に設定されている状態で、Ｄチャネル検出手段がＤチャネル上でのフレームを受信しない状態が所定の規定時間以上継続すると、レイヤ１検出手段及びＤチャネル検出手段以外のＩＳＤＮ端末の各部の消費電力を節減する第２の省エネモードに設定するので、常時接続されている場合に、速やかに省エネモードに移行することができ、省エネ効果を向上させることができるとともに、汎用性を確保することができる。
【００２１】
また、例えば、請求項３に記載するように、前記ＩＳＤＮ端末は、前記ＩＳＤＮ回線への接続形態を設定する接続形態設定手段と、Ｂチャネル上でのフレーム受信を検出するＢチャネル検出手段と、をさらに備え、前記制御手段は、前記接続形態設定手段でＩＳＤＮ回線への接続形態が専用線接続に設定されており、前記Ｂチャネル検出手段がＢチャネル上でのフレームを受信しない状態が所定の規定時間以上継続すると、前記レイヤ１検出手段、前記Ｄチャネル検出手段及び前記Ｂチャネル検出手段以外の前記ＩＳＤＮ端末の各部の消費電力を節減する第３の省エネモードに設定するものであってもよい。
【００２２】
上記構成によれば、ＩＳＤＮ回線への接続形態が専用線接続に設定されている状態で、Ｂチャネル上でのフレーム受信を検出するＢチャネル検出手段がＢチャネル上でのフレームを受信しない状態が所定の規定時間以上継続すると、レイヤ１検出手段、Ｄチャネル検出手段及びＢチャネル検出手段以外のＩＳＤＮ端末の各部の消費電力を節減する第３の省エネモードに設定するので、専用線に接続されている場合にも、適切に省エネモードに移行することができ、適切な省エネを行うことができるとともに、汎用性を確保することができる。
【００２３】
さらに、例えば、請求項４に記載するように、前記ＩＳＤＮ端末は、前記ＩＳＤＮ回線への接続形態を設定する接続形態設定手段と、Ｂチャネル上でのフレーム受信を検出するＢチャネル検出手段と、をさらに備え、前記制御手段は、前記接続形態設定手段でＩＳＤＮ回線への接続形態が専用線接続に設定されており、前記Ｂチャネル検出手段がＢチャネル上でのフレームを受信しない状態が所定の規定時間以上継続すると、前記レイヤ１検出手段、前記Ｄチャネル検出手段及び前記Ｂチャネル検出手段以外の前記ＩＳＤＮ端末の各部の消費電力を節減する第３の省エネモードに設定し、前記接続形態設定手段でＩＳＤＮ回線への接続形態が常時接続に設定されており、前記Ｄチャネル検出手段がＤチャネル上でのフレームを受信しない状態が所定の規定時間以上経過すると、前記レイヤ１検出手段及び前記Ｄチャネル検出手段以外の前記ＩＳＤＮ端末の各部の消費電力を節減する第２の省エネモードに設定するものであってもよい。
【００２４】
上記構成によれば、ＩＳＤＮ回線への接続形態が専用線接続に設定されている状態で、Ｂチャネル上でのフレーム受信を検出するＢチャネル検出手段がＢチャネル上でのフレームを受信しない状態が所定の規定時間以上継続すると、レイヤ１検出手段、Ｄチャネル検出手段及びＢチャネル検出手段以外のＩＳＤＮ端末の各部の消費電力を節減する第３の省エネモードに設定し、ＩＳＤＮ回線への接続形態が常時接続に設定されている状態で、Ｄチャネル検出手段がＤチャネル上でのフレームを受信しない状態が所定の規定時間以上経過すると、レイヤ１検出手段及びＤチャネル検出手段以外のＩＳＤＮ端末の各部の消費電力を節減する第２の省エネモードに設定するので、専用線に接続されている場合にも、適切に省エネモードに移行することができるとともに、常時接続の場合に、速やかに省エネモードに移行することができ、適切な省エネを行うことができるとともに、省エネ効果を向上させつつ、汎用性を確保することができる。
【００２５】
また、例えば、請求項５に記載するように、前記制御手段は、前記第１の省エネモード状態時に、前記レイヤ１検出手段がレイヤ１の活性化を検出すると、前記第１の省エネモードを解除するものであってもよい。
【００２６】
上記構成によれば、第１の省エネモード状態時に、レイヤ１検出手段がレイヤ１の活性化を検出すると、第１の省エネモードを解除するので、レイヤ１検出手段以外のＩＳＤＮ端末の各部の消費電力を節減する第１の省エネモードから適切に復帰することができ、適切な動作を確保することができる。
【００２７】
さらに、例えば、請求項６に記載するように、前記制御手段は、前記第２の省エネモード状態時に、前記Ｄチャネル検出手段がＤチャネル上でのフレームの受信を検出すると、前記第２の省エネモードを解除するものであってもよい。
【００２８】
上記構成によれば、第２の省エネモード状態時に、Ｄチャネル検出手段がＤチャネル上でのフレームの受信を検出すると、第２の省エネモードを解除するので、レイヤ１検出手段及びＤチャネル検出手段以外のＩＳＤＮ端末の各部の消費電力を節減する第２の省エネモードから適切に復帰することができ、適切な動作を確保することができる。
【００２９】
また、例えば、請求項７に記載するように、前記制御手段は、前記第３の省エネモード状態時に、前記Ｂチャネル検出手段がＢチャネル上でのフレームの受信を検出すると、前記第３の省エネモードを解除するものであってもよい。
【００３０】
上記構成によれば、第３の省エネモード状態時に、Ｂチャネル検出手段がＢチャネル上でのフレームの受信を検出すると、第３の省エネモードを解除するので、レイヤ１検出手段、Ｄチャネル検出手段及びＢチャネル検出手段以外のＩＳＤＮ端末の各部の消費電力を節減する第３の省エネモードから適切に復帰することができ、適切な動作を確保することができる。
【００３１】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３２】
図１〜図３は、本発明のＩＳＤＮ端末の第１の実施の形態を示す図であり、本実施の形態は、請求項１、請求項５及び請求項６に対応するものである。
【００３３】
図１は、本発明のＩＳＤＮ端末の第１の実施の形態を適用したファクシミリ装置１の回路ブロック図であり、本実施の形態は、アナログ回線とディジタル回線を選択的に利用してファクシミリ通信を行うとともに、省エネ制御処理を行うものである。
【００３４】
図１において、ファクシミリ装置１は、画像メモリ部２、読取部３、記録部４、モデム部５、ＰＳＴＮ  Ｉ／Ｆ部６、操作表示部７、システムメモリ部８、システム制御部９、符号化・復号化部１０及びＩＳＤＮ制御部１１等を備えており、上記各部は、バス１２に接続されている。
【００３５】
画像メモリ部２は、ＲＡＭ（Random Access Memory）やハードディスク等で構成され、読取部３により読み取られて符号化・復号化部１０で符号化された原稿の画像データを蓄積し、また、受信した符号化された画像データを蓄積する。
【００３６】
読取部３は、例えば、ＣＣＤ（Charge Coupled Device）を利用したイメージスキャナ等が利用されており、原稿を走査して、原稿の画像を所定の解像度で読み取る。
【００３７】
記録部４は、例えば、サーマル素子を利用したサーマル記録装置、あるいは、電子写真式記録装置等が使用され、受信画像や読取部３で読み取った画像等を記録紙に記録出力する。
【００３８】
モデム部５は、プロトコル信号、画情報、Ｖ．２１及びＶ．１７等の規格に従って変・復調処理を行い、また、ＤＴＭＦ信号の送出を行う。
【００３９】
ＰＳＴＮ  Ｉ／Ｆ部６には、ＰＳＴＮ（Public Swiched Telephone Network：公衆電話網）が接続されており、ＰＳＴＮ  Ｉ／Ｆ部６は、直流ループの形成やＤＰ（ダイヤルパルス）信号の送出等を行って、ＰＳＴＮ回線とのインターフェースを行う。
【００４０】
操作表示部７は、テンキーやスタートキー等の各種操作キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。特に、操作表示部７には、ＩＳＤＮ回線への接続形態、例えば、常時接続や専用線接続等を設定する接続形態設定キー（接続形態設定手段）が設けられており、この接続形態設定キーにより、ファクシミリ装置１のＩＳＤＮ回線への接続形態を適宜設定することができる。
【００４１】
システムメモリ部８は、ファクシミリ装置１としての基本プログラムや後述する省エネ制御処理プログラム等が格納されているとともに、ファクシミリ装置１の制御に必要な各種データ、特に、後述する省エネ制御処理に必要なデータ等を記憶する。
【００４２】
システム制御部（制御手段）９は、システムメモリ部８内のプログラムに従ってファクシミリ装置１の各部を制御して、ファクシミリ装置１としてのシーケンスを実行するとともに、省エネ制御処理を実行する。
【００４３】
符号化・復号化部１０は、画像データの画像メモリ部２への蓄積の効率化及び伝送時間の短縮化を図るためのものであり、所定の符号化方式に従って画像データを符号化し、また、符号化された画像データを復号化する。
【００４４】
ＩＳＤＮ制御部１１には、ＩＳＤＮ（Integrated Services Digital Network：サービス総合デジタル網）が接続されており、ＩＳＤＮ制御部１１は、ＩＳＤＮ回線との物理的インターフェイス、呼制御、データ構造変換等を行うもので、図２に示すように、コーディック部２１、Ｂチャネル伝送制御部２２、Ｄチャネル伝送制御部２３、レイヤ１信号制御部２４及びＩＳＤＮ  Ｉ／Ｆ部２５等を備え、上記各部は、バス２６により接続されている。
【００４５】
ＩＳＤＮ  Ｉ／Ｆ部１５には、ＩＳＤＮ回線が接続されており、ＩＳＤＮ  Ｉ／Ｆ部１５は、Ｄチャネル及びＢチャネル上でのレイヤ１の物理条件を満足させるためのインターフェースを行うもので、コンセントの形状やピン配列等のＩＳＤＮ回線と物理的な接続を行う。
【００４６】
コーディック部２１は、ＩＴＵ（International Telecommunication Union：国際電気通信連合）−Ｔ勧告のＧ．７１１（６４Ｋｂｐｓの音声符号化則）の規定によるＡ則あるいはμ則に従ってアナログ信号をディジタル信号に変換し、また、ディジタル信号をアナログ信号に変換する。
【００４７】
Ｂチャネル伝送制御部（Ｂチャネル検出手段）２２は、ＩＳＤＮ通信におけるＢチャネル上でのレイヤ２以上のプロトコルを制御するもので、使用されるプロトコルは、サービスによって異なるが、Ｇ４ファクシミリ通信の場合、回線交換モードのレイヤ２、３では、ＬＡＰＢ（Link Access Procedure-Balanced：平衡型リンク・アクセス手順）と呼ばれるＸ．７５、Ｘ．２５規格、さらに上位では、Ｔ．７０、Ｔ．６２、Ｔ．６等に沿ったデータ構造にして送出し、また、ＬＡＰＢに沿ったデータ構造の通信データを受信する。そして、Ｂチャネル伝送制御部２２は、ＩＳＤＮ回線からのＢチャネル上でのフレームの受信を検出すると、その旨をシステム制御部９に通知する。
【００４８】
Ｄチャネル伝送制御部（Ｄチャネル検出手段）２３は、ＩＳＤＮ通信のＤチャネル上でのレイヤ２及びレイヤ３のプログラムを制御するもので、ＬＡＰＤ（Link Access Procedure on the D-channel：Ｄチャネル用リンク・アクセス手順）と呼ばれフレームフォーマット、情報転送手順、メッセージフォーマット、回線交換手順及びパケット交換手順等の制御を行う。そして、Ｄチャネル伝送制御部２３は、ＩＳＤＮ回線からのＤチャネル上でのフレームの受信を検出すると、その旨をシステム制御部９に通知する。
【００４９】
レイヤ１信号制御部（レイヤ１検出手段）２４は、ＩＳＤＮ通信のＤ及びＢチャネル上での物理条件以外の部分、すなわち、伝送符号、フレーム構成、電気的特性及びＤチャネル競合等の制御を行う。特に、レイヤ１信号制御部２４は、各データをレイヤ１仕様に合致させ、レイヤ１の活性化・非活性化を検出し、システム制御部９に通知する。
【００５０】
次に、本実施の形態の動作を説明する。ファクシミリ装置１は、ＩＳＤＮのＤチャネル上でのフレームが検出されないと、レイヤ１が活性化／非活性化の状態に応じた省エネを行うところにその特徴がある。
【００５１】
すなわち、ファクシミリ装置１は、待機中、図３に示すように、システム制御部９が、所定時間間隔毎にＤチャネル伝送制御部２３にアクセスして、Ｄチャネル上でのフレーム受信があるか否かチェックし（ステップＳ１０１）、フレーム受信があるときには、省エネモードに入るタイミングではないと判断して、そのまま処理を終了する。
【００５２】
ステップＳ１０１で、Ｄチャネル上でのフレーム受信を検出しないときには、システム制御部９は、フレーム受信無しの時間を計測するためのタイマーをスタートさせ（ステップＳ１０２）、Ｄチャネル伝送制御部２３がＤチャネル上でのフレームを検出するか、タイマーが所定の規定時間（例えば、２０秒）をカウントアップしたかチェックする（ステップＳ１０３〜Ｓ１０５）。
【００５３】
ステップＳ１０３で、タイマーが規定時間をカウントアップする前にＤチャネル伝送制御部２３がＤチャネルフレームを検出すると、システム制御部９は、省エネモードに入ることなく、処理を終了する。
【００５４】
Ｄチャネル伝送制御部２３がＤチャネルフレームを検出することなく、ステップＳ１０５で、規定時間が経過すると、システム制御部９は、レイヤ１信号制御部２４がレイヤ１の活性化／非活性化のいずれの状態を検出しているかを判別し（ステップＳ１０６）、レイヤ１が非活性化であると、レイヤ１が活性化したことを検出した場合にシステム制御部９に割り込みをかける等の方法でレイヤ１が活性化した旨を通知させるようにレイヤ１信号制御部２４に設定した後（ステップＳ１０７）、Ｄチャネル伝送制御部２３を省エネモードに設定する（ステップＳ１０８）。
【００５５】
次に、システム制御部９は、Ｂチャネル伝送制御部２２を省エネモードに設定し（ステップＳ１０９）、その他の各部、例えば、コーディック部２１、モデム部５、記録部４、符号化・復号化部１０、読取部３、画像メモリ部２、操作表示部７及びシステムメモリ部８を省エネモードに設定する（ステップＳ１１０）。最後に、システム制御部９自身が省エネモードに入って、処理を終了する（ステップＳ１１１）。
【００５６】
したがって、ファクシミリ装置１は、Ｄチャネル伝送制御部２３がＤチャネル上でのフレームを受信しない状態が規定時間以上継続し、レイヤ１信号制御部２４がレイヤ１が非活性化である旨を検出すると、レイヤ１信号制御部２４以外のファクシミリ装置１の各部の消費電力を節減する第１の省エネモードに設定し、より大きな節電を行う。
【００５７】
なお、この省エネモードは、種々の省エネモードの設定が可能であり、例えば、ファクシミリ装置１の各部の電源の供給の停止、供給しているクロックの供給停止あるいはクロックの速度を遅くする、各部のデバイスのパワーダウンモードあるいはリセットを行う等を設定することができるが、ファクシミリ装置１の状態に応じて、不都合の生じない方法を適宜設定することができる。ただし、システム制御部９の省エネモードは、スタンバイモードであり、レイヤ１信号制御部２４からのレイヤ１活性化の通知を割り込みにて受け取ると、スタンバイモードが解除される。
【００５８】
システム制御部９は、上記ステップＳ１０６で、レイヤ１の活性化が検出されると、レイヤ１信号制御部２４への設定を行うことなく、Ｄチャネル上でのフレームの受信を検出した場合にシステム制御部９に対して通知を行うようにＤチャネル伝送制御部２３に設定し（ステップＳ１１２）、Ｂチャネル伝送制御部及びその他の各部、例えば、コーディック部２１、モデム部５、記録部４、符号化・復号化部１０、読取部３、画像メモリ部２、操作表示部７及びシステムメモリ部８を省エネモードに設定して、最後に、システム制御部９自身が省エネモードに入って、処理を終了する（ステップステップＳ１０９〜Ｓ１１１）。
【００５９】
したがって、ファクシミリ装置１は、レイヤ１信号制御部２４がレイヤ１が活性化である旨を検出すると、レイヤ１信号制御部２４及びＤチャネル伝送制御部２３以外のファクシミリ装置１の各部の消費電力を節減する第２の省エネモードに設定し、省エネモードからの適切な復帰を確保しつつ、節電を行う。
【００６０】
そして、システム制御部９は、レイヤ１信号制御部２４以外のファクシミリ装置１の各部の消費電力を節減する第１の省エネモード状態時に、レイヤ１信号制御部２４がレイヤ１の活性化を検出すると、第１の省エネモードを解除し、また、レイヤ１信号制御部２４及びＤチャネル伝送制御部２３以外のファクシミリ装置１の各部の消費電力を節減する第２の省エネモード状態時に、Ｄチャネル伝送制御部２３がＤチャネル上でのフレームの受信を検出すると、第２の省エネモードを解除する。
【００６１】
このように、本実施の形態のファクシミリ装置１は、Ｄチャネル上でのフレーム受信を検出するＤチャネル伝送制御部２３がＤチャネル上でのフレームを受信しない状態が規定時間以上継続し、レイヤ１の活性化／非活性化を検出するレイヤ１信号制御部２４がレイヤ１が非活性化である旨を検出すると、レイヤ１信号制御部２４以外のファクシミリ装置１の各部の消費電力を節減する第１の省エネモードに設定し、レイヤ１信号制御部２４がレイヤ１が活性化である旨を検出すると、レイヤ１信号制御部２４及びＤチャネル伝送制御部２３以外のファクシミリ装置１の各部の消費電力を節減する第２の省エネモードに設定している。
【００６２】
したがって、常時起動契約の場合や常時起動契約の他のＩＳＤＮ端末であるファクシミリ装置が同一のバスに接続されている場合にも、適切に省エネモードに移行することができ、適切な省エネを行うことができるとともに、汎用性を確保することができる。
【００６３】
また、上記第１の省エネモード状態時に、レイヤ１信号制御部２４がレイヤ１の活性化を検出すると、第１の省エネモードを解除している。
【００６４】
したがって、レイヤ１信号制御部２４以外のファクシミリ装置１の各部の消費電力を節減する第１の省エネモードから適切に復帰することができ、適切な動作を確保することができる。
【００６５】
さらに、第２の省エネモード状態時に、Ｄチャネル伝送制御部２３がＤチャネル上でのフレームの受信を検出すると、第２の省エネモードを解除している。
【００６６】
したがって、レイヤ１信号制御部２４及びＤチャネル伝送制御部２３以外のファクシミリ装置１の各部の消費電力を節減する第２の省エネモードから適切に復帰することができ、適切な動作を確保することができる。
【００６７】
図４は、本発明のＩＳＤＮ端末の第２の実施の形態を示す図であり、本実施の形態は、ＩＳＤＮ回線への接続形態が常時接続であるか否かに応じて、省エネモードへの移行方法を変化させたもので、請求項２、請求項４及び請求項６に対応するものである。
【００６８】
なお、本実施の形態は、上記第１の実施の形態と同様のファクシミリ装置に適用したものであり、本実施の形態の説明においては、上記図１及び図２で用いた符号をそのまま用いて説明する。
【００６９】
本実施の形態のファクシミリ装置１は、上述のように、その操作表示部７にＩＳＤＮ回線への接続形態を設定する接続形態設定キー（接続形態設定手段）が設けられており、この接続形態設定キーによりファクシミリ装置１のＩＳＤＮ回線への接続形態が適宜設定される。
【００７０】
ファクシミリ装置１は、図４に示すように、待機時、システム制御部９が、所定時間間隔毎に、操作表示部７の接続形態設定キーの設定状態をチェックして、常時接続に設定されているか否か判別し（ステップＳ２０１）、常時接続に設定されていないときには、上記第１の実施の形態で説明した図３の省エネ制御処理を行う（ステップＳ２０２）。
【００７１】
ステップＳ２０１で、常時接続に設定されていると、システム制御部９は、Ｄチャネル伝送制御部２３にアクセスして、Ｄチャネル上でのフレーム受信があるか否かチェックし（ステップＳ２０３）、Ｄチャネルフレーム受信があるときには、省エネモードに入るタイミングではないと判断して、そのまま処理を終了する。
【００７２】
ステップＳ２０３で、Ｄチャネル上でのフレーム受信を検出しないときには、システム制御部９は、フレーム受信無しの時間を計測するためのタイマーをスタートさせ（ステップＳ２０４）、Ｄチャネル伝送制御部２３がＤチャネルフレームを検出するか、タイマーが所定の規定時間（例えば、２０秒）をカウントアップしたかチェックする（ステップＳ２０５〜Ｓ２０７）。
【００７３】
ステップＳ２０５で、タイマーが規定時間をカウントアップする前にＤチャネル伝送制御部２３がＤチャネルフレームを検出すると、システム制御部９は、省エネモードに入ることなく、処理を終了する。
【００７４】
Ｄチャネル伝送制御部２３がＤチャネルフレームを検出することなく、ステップＳ２０７で、規定時間が経過すると、システム制御部９は、Ｄチャネルフレームを受信した場合にシステム制御部９に割り込みをかける等の方法でフレームを受信した旨を通知させるようにＤチャネル伝送制御部２３に設定した後（ステップＳ２０８）、Ｂチャネル伝送制御部２２を省エネモードに設定し（ステップＳ２０９）、その他の各部、例えば、コーディック部２１、モデム部５、記録部４、符号化・復号化部１０、読取部３、画像メモリ部２、操作表示部７及びシステムメモリ部８を省エネモードに設定する（ステップＳ２１０）。最後に、システム制御部９自身が省エネモードに入って、処理を終了する（ステップＳ２１１）。
【００７５】
したがって、ファクシミリ装置１は、ＩＳＤＮ回線への接続形態が常時接続に設定されている状態で、Ｄチャネル伝送制御部２３がＤチャネル上でのフレームを受信しない状態が所定の規定時間以上継続すると、レイヤ１信号制御部２４及びＤチャネル伝送制御部２３以外のファクシミリ装置１の各部の消費電力を節減する第２の省エネモードに設定している。
【００７６】
なお、この省エネモードは、上記第１の実施の形態の場合と同様に、種々の省エネモードの設定が可能であるが、ファクシミリ装置１の状態に応じて、不都合の生じない方法を適宜設定することができる。ただし、システム制御部９の省エネモードは、スタンバイモードであり、Ｄチャネル伝送制御部２３からのＤチャネルフレーム検出の通知を割り込みにて受け取ると、スタンバイモードが解除される。
【００７７】
そして、システム制御部９は、第２の省エネモードの状態で、Ｄチャネル伝送制御部２３からＤチャネルのフレームを検出した旨の通知があると、省エネモードを解除し、通常モードに復帰させる。
【００７８】
このように、本実施の形態のファクシミリ装置１は、ＩＳＤＮ回線への接続形態が常時接続に設定されている状態で、Ｄチャネル伝送制御部２３がＤチャネル上でのフレームを受信しない状態が所定の規定時間以上継続すると、レイヤ１信号制御部２４及びＤチャネル伝送制御部２３以外のファクシミリ装置１の各部の消費電力を節減する第２の省エネモードに設定している。
【００７９】
したがって、常時接続されている場合に、速やかに省エネモードに移行することができ、省エネ効果を向上させることができるとともに、汎用性を確保することができる。
【００８０】
また、ファクシミリ装置１は、第２の省エネモード状態時に、Ｄチャネル伝送制御部２３がＤチャネル上でのフレームの受信を検出すると、第２の省エネモードを解除する。
【００８１】
したがって、レイヤ１信号制御部２４及びＤチャネル伝送制御部２３以外のファクシミリ装置１の各部の消費電力を節減する第２の省エネモードから適切に復帰することができ、適切な動作を確保することができる。
【００８２】
図５は、本発明のＩＳＤＮ端末の第３の実施の形態を示す図であり、本実施の形態は、専用線接続か否かに応じて、省エネモードへの移行方法を変化させたもので、請求項３、請求項４及び請求項７に対応するものである。
【００８３】
なお、本実施の形態は、上記第１の実施の形態と同様のファクシミリ装置に適用したものであり、本実施の形態の説明においては、上記図１及び図２で用いた符号をそのまま用いて説明する。
【００８４】
ファクシミリ装置１は、図５に示すように、待機時、システム制御部９が、所定時間間隔毎に、操作表示部７等の接続形態設定キーの設定状態をチェックして、専用線接続であるか否か判別し（ステップＳ３０１）、専用線接続に設定されていないときには、上記第１の実施の形態で説明した図３の省エネ制御処理あるいは第２の実施の形態で説明した図４の省エネ制御処理を行う（ステップＳ３０２）。
【００８５】
すなわち、専用線接続でない場合には、図３に示したように、Ｄチャネルフレームを検出していない時間が規定時間継続していると、レイヤ１が活性化しているか否かに応じて、省エネモードへの移行方法を変化させて省エネモードに移行する省エネ制御処理、あるいは、図４に示したように、接続形態設定キーの設定に応じて、上記図３の省エネ制御処理とＤチャネルフレームを検出していない時間が所定時間継続すると省エネ制御処理に移行する省エネ制御処理のいずれかの処理を行う。
【００８６】
そして、システム制御部９は、ステップＳ３０１で、専用線接続に設定されていると、Ｂチャネル伝送制御部２２がＢチャネル上でのフレームを検出したかチェックし（ステップＳ３０３）、Ｂチャネル上でのフレームの受信があるときには、省エネモードに入るタイミングではないと判断して、そのまま処理を終了する。
【００８７】
ステップＳ３０３で、Ｂチャネル上でのフレーム受信を検出しないときには、システム制御部９は、フレーム受信無しの時間を計測するためのタイマーをスタートさせ（ステップＳ３０４）、Ｂチャネル伝送制御部２２がＢチャネル上でのフレームを検出するか、タイマーが所定の規定時間（例えば、６０秒）をカウントアップしたかをチェックする（ステップＳ３０５〜Ｓ３０７）。
【００８８】
ステップＳ３０５で、タイマーが規定時間をカウントアップする前にＢチャネル伝送制御部２２がＢチャネルフレームを検出すると、システム制御部９は、省エネモードに入ることなく、処理を終了する。
【００８９】
Ｂチャネル伝送制御部２２がＢチャネルフレームを検出することなく、ステップＳ３０７で、規定時間が経過すると、システム制御部９は、Ｂチャネルフレームを受信した場合にシステム制御部９に割り込みをかける等の方法でフレームを受信した旨を通知させるようにＢチャネル伝送制御部２２に設定した後（ステップＳ３０８）、その他の各部、例えば、コーディック部２１、モデム部５、記録部４、符号化・復号化部１０、読取部３、画像メモリ部２、操作表示部７及びシステムメモリ部８を省エネモードに設定する（ステップＳ３０９）。最後に、システム制御部９自身が省エネモードに入って、処理を終了する（ステップＳ３１０）。
【００９０】
したがって、ファクシミリ装置１は、ＩＳＤＮ回線への接続形態が専用線接続に設定されている状態で、Ｂチャネル伝送制御部２２がＢチャネル上でのフレームを受信しない状態が所定の規定時間以上継続すると、レイヤ１信号制御部２４、Ｄチャネル伝送制御部２３及びＢチャネル伝送制御部２２以外のファクシミリ装置１の各部の消費電力を節減する第３の省エネモードに設定する。
【００９１】
なお、この省エネモードは、上記第１の実施の形態の場合と同様に、種々の省エネモードの設定が可能であるが、ファクシミリ装置１の状態に応じて、不都合の生じない方法を適宜設定することができる。ただし、システム制御部９の省エネモードは、スタンバイモードであり、レイヤ１信号制御部２４からのＢチャネル伝送制御部２２からのＢチャネルフレーム検出の通知を割り込みにて受け取ると、スタンバイモードが解除される。
【００９２】
そして、システム制御部９は、上記第３の省エネモード時に、Ｂチャネル伝送制御部２２からＢチャネルのフレームを検出した旨の通知があると、省エネモードを解除し、通常モードに復帰させる。
【００９３】
このように、本実施の形態のファクシミリ装置１は、ＩＳＤＮ回線への接続形態が専用線接続に設定されている状態で、Ｂチャネル伝送制御部２２がＢチャネル上でのフレームを受信しない状態が所定の規定時間以上継続すると、レイヤ１信号制御部２４、Ｄチャネル伝送制御部２３及びＢチャネル伝送制御部２２以外のファクシミリ装置１の各部の消費電力を節減する第３の省エネモードに設定している。
【００９４】
したがって、専用線に接続されている場合にも、適切に省エネモードに移行することができ、適切な省エネを行うことができるとともに、汎用性を確保することができる。
【００９５】
また、ＩＳＤＮ回線への接続形態が専用線接続に設定されておらず、Ｂチャネル伝送制御部２２がＢチャネル上でのフレームを受信しない状態が所定の規定時間以上継続すると、レイヤ１信号制御部２４、Ｄチャネル伝送制御部２３及びＢチャネル伝送制御部２２以外のファクシミリ装置１の各部の消費電力を節減する第３の省エネモードに設定し、ＩＳＤＮ回線への接続形態が常時接続に設定されている状態のときには、図４に示したように、Ｄチャネル伝送制御部２３がＤチャネル上でのフレームを受信しない状態が所定の規定時間以上経過すると、レイヤ１信号制御部２４及びＤチャネル伝送制御部２３以外のファクシミリ装置１の各部の消費電力を節減する第２の省エネモードに設定している。
【００９６】
したがって、専用線に接続されている場合にも、適切に省エネモードに移行することができるとともに、常時接続の場合に、速やかに省エネモードに移行することができ、適切な省エネを行うことができるとともに、省エネ効果を向上させつつ、汎用性を確保することができる。
【００９７】
さらに、第３の省エネモード状態時に、Ｂチャネル伝送制御部２２がＢチャネル上でのフレームの受信を検出すると、第３の省エネモードを解除している。
【００９８】
したがって、レイヤ１信号制御部２４、Ｄチャネル伝送制御部２３及びＢチャネル伝送制御部２２以外のＩＳＤＮ端末の各部の消費電力を節減する第３の省エネモードから適切に復帰することができ、適切な動作を確保することができる。
【００９９】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１００】
例えば、上記各実施の形態においては、ＩＳＤＮ端末としてファクシミリ装置１に適用した場合について説明したが、ＩＳＤＮ端末としては、ファクシミリ装置に限るものではなく、ＩＳＤＮ回線に接続されて省エネ制御処理を行う必要のある装置一般に適用することができる。
【０１０１】
【発明の効果】
請求項１記載の発明のＩＳＤＮ端末によれば、Ｄチャネル上でのフレーム受信を検出するＤチャネル検出手段がＤチャネル上でのフレームを受信しない状態が所定の規定時間以上継続し、レイヤ１の活性化／非活性化を検出するレイヤ１検出手段がレイヤ１が非活性化である旨を検出すると、レイヤ１検出手段以外のＩＳＤＮ端末の各部の消費電力を節減する第１の省エネモードに設定し、レイヤ１検出手段がレイヤ１が活性化である旨を検出すると、レイヤ１検出手段及びＤチャネル検出手段以外のＩＳＤＮ端末の各部の消費電力を節減する第２の省エネモードに設定するので、常時起動契約の場合や常時起動契約の他のＩＳＤＮ端末が同一のバスに接続されている場合にも、適切に省エネモードに移行することができ、適切な省エネを行うことができるとともに、汎用性を確保することができる。
【０１０２】
請求項２記載の発明のＩＳＤＮ端末によれば、ＩＳＤＮ回線への接続形態が常時接続に設定されている状態で、Ｄチャネル検出手段がＤチャネル上でのフレームを受信しない状態が所定の規定時間以上継続すると、レイヤ１検出手段及びＤチャネル検出手段以外のＩＳＤＮ端末の各部の消費電力を節減する第２の省エネモードに設定するので、常時接続されている場合に、速やかに省エネモードに移行することができ、省エネ効果を向上させることができるとともに、汎用性を確保することができる。
【０１０３】
請求項３記載の発明のＩＳＤＮ端末によれば、ＩＳＤＮ回線への接続形態が専用線接続に設定されている状態で、Ｂチャネル上でのフレーム受信を検出するＢチャネル検出手段がＢチャネル上でのフレームを受信しない状態が所定の規定時間以上継続すると、レイヤ１検出手段、Ｄチャネル検出手段及びＢチャネル検出手段以外のＩＳＤＮ端末の各部の消費電力を節減する第３の省エネモードに設定するので、専用線に接続されている場合にも、適切に省エネモードに移行することができ、適切な省エネを行うことができるとともに、汎用性を確保することができる。
【０１０４】
請求項４記載の発明のＩＳＤＮ端末によれば、ＩＳＤＮ回線への接続形態が専用線接続に設定されている状態で、Ｂチャネル上でのフレーム受信を検出するＢチャネル検出手段がＢチャネル上でのフレームを受信しない状態が所定の規定時間以上継続すると、レイヤ１検出手段、Ｄチャネル検出手段及びＢチャネル検出手段以外のＩＳＤＮ端末の各部の消費電力を節減する第３の省エネモードに設定し、ＩＳＤＮ回線への接続形態が常時接続に設定されている状態で、Ｄチャネル検出手段がＤチャネル上でのフレームを受信しない状態が所定の規定時間以上経過すると、レイヤ１検出手段及びＤチャネル検出手段以外のＩＳＤＮ端末の各部の消費電力を節減する第２の省エネモードに設定するので、専用線に接続されている場合にも、適切に省エネモードに移行することができるとともに、常時接続の場合に、速やかに省エネモードに移行することができ、適切な省エネを行うことができるとともに、省エネ効果を向上させつつ、汎用性を確保することができる。
【０１０５】
請求項５記載の発明のＩＳＤＮ端末によれば、第１の省エネモード状態時に、レイヤ１検出手段がレイヤ１の活性化を検出すると、第１の省エネモードを解除するので、レイヤ１検出手段以外のＩＳＤＮ端末の各部の消費電力を節減する第１の省エネモードから適切に復帰することができ、適切な動作を確保することができる。
【０１０６】
請求項６記載の発明のＩＳＤＮ端末によれば、第２の省エネモード状態時に、Ｄチャネル検出手段がＤチャネル上でのフレームの受信を検出すると、第２の省エネモードを解除するので、レイヤ１検出手段及びＤチャネル検出手段以外のＩＳＤＮ端末の各部の消費電力を節減する第２の省エネモードから適切に復帰することができ、適切な動作を確保することができる。
【０１０７】
請求項７記載の発明のＩＳＤＮ端末によれば、第３の省エネモード状態時に、Ｂチャネル検出手段がＢチャネル上でのフレームの受信を検出すると、第３の省エネモードを解除するので、レイヤ１検出手段、Ｄチャネル検出手段及びＢチャネル検出手段以外のＩＳＤＮ端末の各部の消費電力を節減する第３の省エネモードから適切に復帰することができ、適切な動作を確保することができる。
【図面の簡単な説明】
【図１】本発明のＩＳＤＮ端末の第１の実施の形態を適用したファクシミリ装置の回路ブロック図。
【図２】図１のファクシミリ装置のＩＳＤＮ制御部の詳細な回路ブロック図。
【図３】図１及び図２のファクシミリ装置による省エネ制御処理を示すフローチャート。
【図４】本発明のＩＳＤＮ端末の第２の実施の形態を適用したファクシミリ装置による省エネ制御処理を示すフローチャート。
【図５】本発明のＩＳＤＮ端末の第３の実施の形態を適用したファクシミリ装置による省エネ制御処理を示すフローチャート。
【符号の説明】
１  ファクシミリ装置
２  画像メモリ
３  読取部
４  記録部
５  モデム部
６  ＰＳＴＮ  Ｉ／Ｆ部
７  操作表示部
８  システムメモリ部
９  システム制御部
１０  符号化・復号化部
１１  ＩＳＤＮ制御部
１２  バス
２１  コーディック部
２２  Ｂチャネル伝送制御部
２３  Ｄチャネル伝送制御部
２４  レイヤ１信号制御部
２５  ＩＳＤＮ  Ｉ／Ｆ部
２６  バス
【図１】
0003845221.tif 000002
【図２】
0003845221.tif 000003
【図３】
0003845221.tif 000004
【図４】
0003845221.tif 000005
【図５】
0003845221.tif 000006